【手続補正書】
【提出日】平成24年12月25日(2012.12.25)
【手続補正１】
【補正対象書類名】特許請求の範囲
【補正対象項目名】全文
【補正方法】変更
【補正の内容】
【特許請求の範囲】
【請求項１】
電子物品監視マーカーシールドを検出するためシステムであって、前記システムは：
検出ゾーン内の電子物品監視マーカーを検出するように動作可能な電子物品監視サブシステムと；
少なくとも１つの送信アンテナを含む金属検出サブシステムであって、前記金属検出サブシステムが、前記検出ゾーン内の金属製の物体を検出するように動作可能である金属検出サブシステムと；
前記金属製の物体の少なくとも１つのビデオ画像を捕捉するように動作可能なビデオ解析サブシステムと；
前記電子物品監視サブシステム、前記金属検出サブシステムおよび前記ビデオ解析サブシステムと通信可能に結合されたシステムコントローラであって、
前記金属製の物体に対する第１の可能性のある分類分けを判定し、
前記第１の可能性のある分類分けに対する信頼度重みを算出し、
前記第１の可能性のある分類分けおよびそれに対応する前記信頼度重みにしたがって、前記金属製の物体を電子物品監視マーカーシールドとして識別し、かつ、
警告を発生させるように動作可能である、システムコントローラとを備える；
システム。
【請求項２】
前記ビデオ解析サブシステムがさらに、前記金属製の物体の動作方向を判定するように動作可能であり、前記システムコントローラは、前記動作方向が監視される施設内に向かっていることを前記ビデオ解析サブシステムが判定することに応答して、警告を発生させるのみである；
請求項１に記載されるシステム。
【請求項３】
前記金属検出サブシステムがさらに、応答信号の振幅を判定し、
前記ビデオ解析サブシステムがさらに、前記金属製の物体と前記送信アンテナとの間の距離を測定し、
前記システムコントローラが、前記応答信号の前記振幅および前記金属製の物体と前記送信アンテナとの前記距離を、予め定義された対象物分類に対応するデータと相関させることによって、前記金属製の物体に対する前記第１の可能性のある分類分けを判定する；
請求項１に記載されるシステム。
【請求項４】
前記予め定義された対象物分類が、カート、バッグを携帯している人物、バッグを携帯していない人物、車いす、乳母車および携帯された対象物のうち少なくとも２つを含む；
請求項３に記載されるシステム。
【請求項５】
前記ビデオ解析サブシステムがさらに、
前記距離の測定値に対する公差値を提供し、かつ、
前記公差値を使用して、前記第１の可能性のある分類分けに対する前記信頼度重みを算出するように動作可能な；
請求項３に記載されるシステム。
【請求項６】
警告を発生させることが、可聴警告を鳴らすこと、可視警告を機能させることおよび警告通知を送信することのうちの少なくとも１つを含む；
請求項１に記載されるシステム。
【請求項７】
前記システムコントローラに通信可能に結合された無線周波数識別サブシステムであって、前記無線周波数識別サブシステムが、
前記検出ゾーン内の無線周波数識別タグを検出し、
前記無線周波数識別タグからタグコードを受信し、
前記タグコードを、誤警報アイテムコードの一覧と比較し、かつ、
前記タグコードが前記誤警報アイテムコードの一覧に含まれると判定することに応答して、前記金属製の物体を電子物品監視マーカーシールドではないと識別するように動作可能な無線周波数識別サブシステムをさらに備える；
請求項１に記載されるシステム。
【請求項８】
前記ビデオ解析サブシステムがさらに、
ビデオ対象物認識技法を使用して、前記予め定義された対象物分類にしたがって前記対象物の第２の可能性のある分類分けを判定し、かつ、
前記第２の可能性のある分類分けに対する信頼度重みを算出するように動作可能な；
請求項１に記載されるシステム。
【請求項９】
前記システムコントローラがさらに、
前記第１の可能性のある対象物の分類分けおよび対応する前記信頼度重みを、前記第２の可能性のある対象物の分類分けおよび対応する前記信頼度重みと組み合わせて、システム対象物の分類分けおよび対応するシステムの信頼度重みを算出し、かつ、
前記システムの可能性のある分類分けおよび対応する前記システムの信頼度重みにしたがって、前記金属製の物体を識別するように動作可能である；
請求項８に記載されるシステム。
【請求項１０】
前記システムコントローラに通信可能に結合された無線周波数識別サブシステムであって、前記無線周波数識別サブシステムが、
前記検出ゾーン内の無線周波数識別タグを検出し、
前記無線周波数識別タグからタグコードを受信し、
前記タグコードを、誤警報アイテムコードの一覧と比較し、かつ、
前記タグコードが、前記誤警報アイテムコードの一覧に含まれると判定することに応答して、前記金属製の物体を電子物品監視マーカーシールドではないと識別するように動作可能な無線周波数識別サブシステムをさらに備える；
請求項９に記載されるシステム。
【請求項１１】
電子物品監視マーカーシールドが検出するためのシステムであって、前記システムは：
検出ゾーン内の電子物品監視マーカーを検出するように動作可能な電子物品監視サブシステムと；
前記検出ゾーン内の金属製の物体を検出するように動作可能な金属検出サブシステムと；
無線周波数識別サブシステムであって、
前記検出ゾーン内の無線周波数識別タグを検出し、
前記無線周波数識別タグからタグコードを受信し、
前記タグコードが、誤警報アイテムコードの一覧に含まれるかどうかを判定するように動作可能な無線周波数識別サブシステムと；
前記電子物品監視サブシステム、前記金属検出サブシステムおよび前記無線周波数識別サブシステムに通信可能に結合されたシステムコントローラであって、
前記金属検出サブシステムが、前記検出ゾーン内の金属製の物体を検出すること、および、前記無線周波数識別サブシステムが、前記タグコードが前記誤警報アイテムコードの一覧に含まれないことを判定することに応答して、警報を発生させ、かつ、
前記金属検出サブシステムが、前記検出ゾーン内の金属製の物体を検出すること、および、前記無線周波数識別サブシステムが、前記タグコードが前記誤警報アイテムコードの一覧に含まれることを判定することに応答して、前記金属製の物体を電子物品監視マーカーシールドではないと識別するように動作可能である、システムコントローラとを備える；
システム。
【請求項１２】
警告を発生させることが、可聴警告を鳴らすこと、可視警告を機能させることおよび警告通知を送信することのうちの少なくとも１つを含む；
請求項１１に記載されるシステム。
【請求項１３】
電子物品監視マーカーシールドを検出するための方法であって、前記方法は：
検出ゾーン内の電子物品監視マーカーを検出するために、電子物品監視サブシステムを提供することと；
前記検出ゾーン内の金属製の物体を検出することと；
前記金属製の物体のビデオ画像を捕捉することと；
前記金属製の物体に対する第１の可能性のある分類分けを判定することと；
前記第１の可能性のある分類分けに対する信頼度重みを算出することと；
前記第１の可能性のある分類分けおよびそれに対応する前記信頼度重みにしたがって、前記金属製の物体を、電子物品監視マーカーシールドとして識別することと；
警告を発生させることとを含む；
方法。
【請求項１４】
金属検出信号を送信することと；
前記金属検出信号に対する応答信号の振幅を判定することと；
前記金属製の物体と送信アンテナとの間の距離を測定することと；
前記応答信号の前記振幅および前記金属製の物体と前記送信アンテナとの間の前記距離を、予め定義された対象物分類に対応するデータに相関させることによって、前記金属製の対象物に対する前記第１の可能性のある分類分けを判定することとをさらに含む；
請求項１３に記載される方法。
【請求項１５】
前記予め定義された対象物分類が、カート、バッグを携帯している人物、バッグを携帯していない人物、車いす、乳母車および携帯された対象物のうち少なくとも２つを含む；
請求項１４に記載される方法。
【請求項１６】
前記距離の測定値に対する公差値を提供することと、
前記公差値を使用して、前記第１の可能性のある分類分けに対する前記信頼度重みを算出することとをさらに含む；
請求項１４に記載される方法。
【請求項１７】
警告を発生させることが、可聴警告を鳴らすこと、可視警告を機能させることおよび警告通知を送信することのうちの少なくとも１つを含む；
請求項１３に記載される方法。
【請求項１８】
前記検出ゾーン内の無線周波数識別タグを検出することと；
前記無線周波数識別タグからタグコードを受信することと；
前記タグコードを、誤警報アイテムコードの一覧と比較することと；
前記タグコードが、前記誤警報アイテムコードの一覧に含まれると判定することに応答して、前記対象物を電子物品監視マーカーシールドではないと識別することとをさらに含む；
請求項１３に記載される方法。
【請求項１９】
ビデオ対象物認識技法を使用して、前記予め定義された対象物分類にしたがって前記対象物の第２の可能性のある分類分けを判定することと；
前記第２の可能性のある分類分けに対する信頼度重みを算出することと；
前記第１の可能性のある対象物の分類分けおよびそれに対応する前記信頼度重みを、前記第２の可能性のある対象物の分類分けおよびそれに対応する前記信頼度重みと組み合わせて、システム対象物の分類分けおよびそれに対応するシステムの信頼度重みを算出することと；
前記システムの可能性のある分類分けおよびそれに対応する前記システムの信頼度重みにしたがって、前記金属製の物体を識別することとをさらに含む；
請求項１３に記載される方法。
【請求項２０】
前記検出ゾーン内の無線周波数識別タグを検出することと、
前記無線周波数識別タグからタグコードを受信することと、
前記タグコードを、誤警報アイテムコードの一覧と比較することと、
前記タグコードが、前記誤警報アイテムコードの一覧に含まれると判定することに応答して、前記金属製の物体を電子物品監視マーカーシールドではないと識別することとをさらに含む；
請求項１９に記載される方法。